(57)【要約】【課題】電力消費量を少なくして省エネルギーを図ることができるカップ式自動販売機を提供する。【解決手段】筐体２の内壁には断熱材２ｄが取り付けられ、その内側奥には、制御基板９１が設けられている制御装置９０が配設され、その前側には、粉末原料キャニスタ２４、コーヒー豆キャニスタ２８、粉末原料キャニスタ３１が配設されている。さらに粉末原料キャニスタ２４、コーヒー豆キャニスタ２８、粉末原料キャニスタ３１の下側には図示しない原料シュータ２５、ミキシングボウル２６、ミル２９、コーヒー抽出器３０、原料シュータ３２、ミキシングボウル３３が配設されている。【選択図】図１
2012038129.tif 000002
【特許請求の範囲】
【請求項１】
回転軸の軸周りに螺旋状に形成したスクリュー羽根を回転させて貯蔵している原料を原料払い出し口から払い出す原料キャニスタと、湯弁が開かれると貯留している高温の湯を供給する温水タンクと、前記原料キャニスタから供給された原料と前記温水タンクから供給された高温の湯とを用いて飲料を調理する飲料調理装置と、これらに信号を出力して飲料を調理する制御装置とを備えているカップ式自動販売機において、
前記原料キャニスタ、および／または前記飲料調理装置に近接させて前記制御装置を配設したことを特徴とするカップ式自動販売機。
【請求項２】
前記原料キャニスタ、および／または前記飲料調理装置に近接させて配設した前記制御装置を断熱材で覆われた一画に配設したことを特徴とする請求項１に記載のカップ式自動販売機。
【発明の詳細な説明】
【技術分野】
【０００１】
本発明は、原料キャニスタに貯蔵している原料を払い出して調理した飲料を販売に供するカップ式自動販売機に関する。
【背景技術】
【０００２】
従来から原料を貯蔵する原料キャニスタを備え、この原料キャニスタが払い出した原料と温水タンクから供給された高温の湯とを混合して調理した飲料を販売に供するカップ式自動販売機が知られている。例えば、特許文献１には、粉末原料キャニスタに貯蔵されているココア、紅茶などの粉末原料を払い出し、原料シュータ内を降下させてミキシングボウルに供給し、温水タンクから供給された高温の湯とミキシングボウル内で混合させて調理した飲料を販売に供するインスタント飲料調理装置と、コーヒー豆キャニスタから払い出されたコーヒー豆をミルで挽いた挽き豆と温水タンクから供給された高温の湯との混合液からペーパーフィルタで濾過してコーヒー液を抽出するコーヒー抽出器を設け、このコーヒー抽出器で抽出したコーヒー液をミキシングボウルに導き、粉末原料キャニスタから原料シュータを介して払い出された砂糖やクリームと混合して販売に供するコーヒー飲料調理装置と、を機内に備えるカップ式自動販売機の概略構成が開示されている。
【０００３】
そして、カップ式自動販売機の利用者により硬貨が投入され、ホット飲料の選択ボタン、例えば、ホットココア飲料の選択ボタンが押されると、制御装置がホットココア飲料を調理する信号を出力する。この制御装置が出力する信号により、先ず、温水タンクの湯弁が開かれると、温水タンクに貯留されている高温の湯がミキシングボウルに供給される。同時に、ココア粉末原料が貯蔵されている粉末原料キャニスタの原料払い出しモータが運転されると、ココア粉末原料が粉末原料払い出し口から払い出され、原料シュータ内を降下してミキシングボウルに供給される。ミキシングボウルに供給されたココア粉末原料と高温の湯は、攪拌、混合されることでホットココア飲料が調理され、ミキシングボウルからカップにホットココア飲料が注出されてカップ式自動販売機の利用者に引き渡される。
【０００４】
このようにしてミキシングボウルに供給された高温の湯とココア粉末原料が攪拌、混合されて調理されると、ミキシングボウルに供給された高温の湯から立ち昇る湯気（蒸気）が原料シュータ内を上昇して粉末原料キャニスタの粉末原料払い出し口に至ることで、原料シュータ内や粉末原料払い出し口が湿気を帯びてしまい、これら原料シュータ内や粉末原料払い出し口に粉末原料が付着してしまうという不具合を生じる。
【０００５】
このような不具合を解消するため、例えば、特許文献２には、原料シュータが取り付けられている粉末原料払い出し口に除湿用ヒータを設けた飲料ディスペンサが開示されている。この除湿用ヒータに通電することにより発生する熱で粉末原料を乾燥させて湿気が帯びることを防止し、さらに、このヒータが発生する熱により原料シュータ内を乾燥させることで、これら原料シュータ内や粉末原料払い出し口に粉末原料が付着してしまうという不具合を防止するようにしている。
【先行技術文献】
【特許文献】
【０００６】
【特許文献１】特開平８−３１５２４４号公報
【特許文献２】特開２０００−２１９２９５号公報
【発明の概要】
【発明が解決しようとする課題】
【０００７】
しかしながら、粉末原料払い出し口に設けた除湿用ヒータに通電させ、ヒータが発生する熱により原料シュータ内や粉末原料払い出し口に粉末原料が付着することを防止しているため、電力消費量が多くなるという課題があった。また、コーヒー抽出器で抽出したコーヒー液をミキシングボウルに導き、粉末原料キャニスタから原料シュータを介して払い出された砂糖やクリームと混合して販売に供するコーヒー飲料調理装置では、コーヒー抽出器で抽出されたコーヒー液の温度低下を防止するためにコーヒー抽出器や液管路にヒータを設け、ヒータが発生する熱により温度低下を防ぐようにしているため、電力消費量が多くなるという課題があった。
【０００８】
本発明は、以上のような課題を解決するためになされたものであり、電力消費量を少なくして省エネルギーを図ることができるカップ式自動販売機を提供することを目的とする。
【課題を解決するための手段】
【０００９】
上記の目的を達成するために、本発明の請求項１に係るカップ式自動販売機は、回転軸の軸周りに螺旋状に形成したスクリュー羽根を回転させて貯蔵している原料を原料払い出し口から払い出す原料キャニスタと、湯弁が開かれると貯留している高温の湯を供給する温水タンクと、前記原料キャニスタから供給された原料と前記温水タンクから供給された高温の湯とを用いて飲料を調理する飲料調理装置と、これらに信号を出力して飲料を調理する制御装置とを備えているカップ式自動販売機において、
前記原料キャニスタ、および／または前記飲料調理装置に近接させて前記制御装置を配設したことを特徴とする。
【００１０】
また、本発明の請求項２に係るカップ式自動販売機は、上述した請求項１において、前記原料キャニスタ、および／または前記飲料調理装置に近接させて配設した前記制御装置を断熱材で覆われた一画に配設したことを特徴とする。
【発明の効果】
【００１１】
請求項１の発明によれば、回転軸の軸周りに螺旋状に形成したスクリュー羽根を回転させて貯蔵している原料を原料払い出し口から払い出す原料キャニスタと、湯弁が開かれると貯留している高温の湯を供給する温水タンクと、前記原料キャニスタから供給された原料と前記温水タンクから供給された高温の湯とを用いて飲料を調理する飲料調理装置と、これらに信号を出力して飲料を調理する制御装置とを備えているカップ式自動販売機において、前記原料キャニスタ、および／または前記飲料調理装置に近接させて前記制御装置を配設したことにより、電力消費量を少なくして省エネルギーを図ることができるカップ式自動販売機を提供することが可能となる。
【００１２】
また、請求項２の発明によれば、前記原料キャニスタ、および／または前記飲料調理装置に近接させて配設した前記制御装置を断熱材で覆われた一画に配設したことにより、さらに電力消費量を少なくして省エネルギーを図ることができるカップ式自動販売機を提供することが可能となる。
【図面の簡単な説明】
【００１３】
【図１】本発明に係る前扉を開いたカップ式自動販売機を示す正面図である。
【図２】本発明に係るカップ式自動販売機の概要図である。
【図３】図１に示したカップ式自動販売機の制御ブロック図である。
【図４】図１に示したカップ式自動販売機の制御装置の配置図である。
【発明を実施するための形態】
【００１４】
以下、図面を参照しながら、本発明に係るカップ式自動販売機の好適な実施の形態を詳細に説明する。なお、この実施の形態によりこの発明が限定されるものではない。
図１は、本発明の実施の形態に係るカップ式自動販売機の前扉を開いた一例を示す正面図である。カップ式自動販売機１は、前面が開放される筐体２と、筐体２の前面の一端に蝶番で取り付けられる前扉３とを備え、前扉３の外表面には、図示しない、硬貨を投入するための硬貨投入口、投入した硬貨を返却するための硬貨返却レバー、硬貨返却口、飲料を選択するための飲料選択ボタン９８（図３参照）などが設けられている。
【００１５】
筐体２の内部には、ココア、紅茶などの粉末原料を貯蔵する粉末原料キャニスタ２４、粉末原料キャニスタ２４から払い出された粉末原料をミキシングボウル２６（飲料調理装置）へと導く原料シュータ２５、粉末原料キャニスタ２４から供給されたココア、紅茶などの粉末原料と温水タンク２１の湯弁２２（図２参照）を開いて湯管路２３（図２参照）を介して供給された高温の湯とを混合して飲料とするミキシングボウル２６、焙煎されたコーヒー豆を貯蔵するコーヒー豆キャニスタ２８、コーヒー豆キャニスタ２８から供給されたコーヒー豆を粉砕刃で所定の粒度に粉砕して粉末状のコーヒー豆（以下「コーヒー挽き豆」という）とするミル２９、ミル２９で粉砕して供給されたコーヒー挽き豆と温水タンク２１の湯弁２２を開いて湯管路２３を介して供給された高温の湯との混合液をペーパーフィルタで濾過してコーヒー成分を含むコーヒー液を抽出するコーヒー抽出器３０（飲料調理装置）、砂糖やクリームを貯蔵する粉末原料キャニスタ３１、粉末原料キャニスタ３１から払い出された砂糖やクリームをミキシングボウル３３（飲料調理装置）へ導く原料シュータ３２、コーヒー抽出器３０で抽出されたコーヒー液に粉末原料キャニスタ３１から供給された砂糖やクリームを混合してコーヒー飲料とするミキシングボウル３３、コーヒー滓やペーパーフィルタが廃棄される滓バケツ３５などが備えられ、ミキシングボウル２６、３３で調理された飲料はノズル４０からカップ載置台３６に載置されたカップＣ（図２参照）に注出される。
【００１６】
また、冷凍サイクル装置の冷媒蒸発パイプ（図示せず）の周囲に形成したアイスバンク（氷塊）の潜熱（溶解熱）で略０℃に冷却した冷却水を貯留してシロップ飲料に使用するシロップや炭酸水を冷却する冷却水槽１５、アイス飲料を販売するときに使用する氷を製造して貯蔵しているオーガ式製氷機１９（図２参照）などが備えられている。
【００１７】
前扉３には、収容しているカップを飲料販売の都度供給するカップ供給装置３７、販売扉を開いて調理されたカップ飲料を取り出す販売口３８、利用者が投入した硬貨を処理する金銭処理機３９などが取り付けられている。
【００１８】
図２は、本発明の実施の形態に係るカップ式自動販売機の概要図である。ここで例示するカップ式自動販売機１は、硬貨の投入後に利用者の選択に応じて飲料を調理し、これをカップ載置台３６に載置されたカップＣに注ぎ入れるものである。その機内には、水リザーバ１２、冷却水槽１５、カーボネータ１８、オーガ式製氷機１９、温水タンク２１、粉末原料キャニスタ２４、原料シュータ２５、ミキシングボウル２６、コーヒー豆キャニスタ２８、ミル２９、コーヒー抽出器３０、粉末原料キャニスタ３１、原料シュータ３２、ミキシングボウル３３などを備えている。また、ミキシングボウル２６で調理された飲料は飲料管路２７を流下してノズル４０からカップ載置台３６に載置されたカップＣに注出され、ミキシングボウル３３で調理された飲料は飲料管路３４を流下してノズル４０からカップ載置台３６に載置されたカップＣに注出される。
【００１９】
水リザーバ１２は、カーボネータ１８やオーガ式製氷機１９、温水タンク２１に飲用水（水道水）を供給するためのもので、給水弁１１を開くと飲用水が水リザーバ１２に貯えられ、水ポンプ１３を運転して飲用水弁１４を開くと飲用水が温水タンク２１に供給される。
【００２０】
冷却水槽１５に貯留している冷却水には冷媒蒸発パイプ（図示せず）が浸漬してあり、冷凍サイクル装置（図示せず）が運転されて冷却用冷媒が供給されると、この冷媒の蒸発熱で冷媒蒸発パイプの周囲にアイスバンク（氷塊）が生成され、このアイスバンクの潜熱（溶解熱）で冷却水が略０℃に冷却されている。
【００２１】
カーボネータ１８は、冷却水槽１５の冷却水に浸漬してあり、水リザーバ１２から供給された飲用水に炭酸ガスボンベ１６から供給された炭酸ガスを溶解して炭酸水とする。シロップタンク１７はシロップを貯留し、炭酸ガスボンベ１６から供給される炭酸ガスの圧力でシロップが押し出され、冷却水槽１５で冷やされてノズル４０からカップＣに注がれる。
【００２２】
オーガ式製氷機１９は、製氷部と貯氷庫とを有し、冷凍サイクル装置から製氷部に供給された冷却用冷媒で水リザーバ１２から供給された飲用水を製氷して貯氷庫で貯蔵し、アイス飲料を販売するときには貯氷庫に貯蔵している氷をカップＣに供給する。
【００２３】
温水タンク２１は、水ポンプ１３を運転して飲用水弁１４を開くと水リザーバ１２から供給される飲用水を内部に設けられているヒータ（図示せず）で高温の湯（例えば、９５℃〜９７℃）に加熱して貯留し、湯弁２２が開かれると貯留している高温の湯が湯管路２３を介してミキシングボウル２６、３３やコーヒー抽出器３０に供給される。
【００２４】
図３は、カップ式自動販売機１の制御ブロック図を示し、カップ式自動販売機１での飲料の調理などを制御する制御装置９０には制御基板９１が設けられ、中央処理装置としてのＣＰＵ９２、ＣＰＵ９２の制御プログラムを格納するＲＯＭ（リード・オンリー・メモリ）９３、ＣＰＵ９２の制御に必要な各種のプログラムやデータを随時記憶するＲＡＭ（ランダム・アクセス・メモリ：記憶手段、例えば飲料の調理に使用する粉末原料を供給する粉末原料キャニスタ２４、３１の運転時間や湯弁２２の開放時間を記憶する）９４、基準クロック発生部（図示せず）で発生するクロックをカウントして各種時刻を計時するタイマー９５、カップ式自動販売機１に備えられている各機器に通電する電力回路を有する電源部９６などは制御基板９１に装着され、これらの部品が動作することで発生する熱は制御装置９０の外部に放熱するように構成されている。
【００２５】
また、制御装置９０には、カップ式自動販売機１の各種設定データ（例えば飲料の調理に使用する粉末原料を供給する粉末原料キャニスタ２４、３１の運転時間や湯弁２２の開放時間）を入力するキーボード９７、利用者が投入した硬貨を処理する金銭処理機３９、飲料を選択するための飲料選択ボタン９８、粉末原料キャニスタ２４の粉末原料払い出し口に設けている除湿用ヒータ２４ｂ、粉末原料キャニスタ３１の粉末原料払い出し口に設けている除湿用ヒータ３１ｂなどが接続されている。
【００２６】
そして、カップ式自動販売機１の利用者により金銭処理機３９に硬貨が投入されると、制御装置９０は、投入された硬貨で購入可能な飲料選択ボタン９８を点灯する。この点灯している飲料選択ボタン９８が押されると、制御装置９０が、湯弁２２、粉末原料キャニスタ２４の原料払い出しモータ２４ａ、ミキシングボウル２６、コーヒー豆キャニスタ２８、ミル２９、コーヒー抽出器３０、粉末原料キャニスタ３１の原料払い出しモータ３１ａ、ミキシングボウル３３などへ通電制御を行う。
【００２７】
図４は、カップ式自動販売機１の筐体２に制御装置９０を配置した平面図を示し、筐体２の内壁には断熱材２ｄが取り付けられ、筐体２からの放熱を防止している。その内側には温水タンク２１を配設し、温水タンク２１の壁面も断熱材２１ｄで覆い、温水タンク２１に貯留している高温の湯の放熱を防止している。また、断熱材２ｄが取り付けられた筐体２の内側奥には、制御基板９１が設けられている制御装置９０が配設され、その前側には、粉末原料キャニスタ２４、コーヒー豆キャニスタ２８、粉末原料キャニスタ３１が配設されている。
【００２８】
さらに粉末原料キャニスタ２４、コーヒー豆キャニスタ２８、粉末原料キャニスタ３１の下側には図示しない原料シュータ２５、ミキシングボウル２６、ミル２９、コーヒー抽出器３０、原料シュータ３２、ミキシングボウル３３が配設されている。また、前扉３にも断熱材３ｄが取り付けられ、筐体２および前扉３からの放熱を防止している。
【００２９】
このように、制御基板９１が設けられている制御装置９０、粉末原料キャニスタ２４、原料シュータ２５、ミキシングボウル２６、コーヒー豆キャニスタ２８、ミル２９、コーヒー抽出器３０、粉末原料キャニスタ３１、原料シュータ３２、ミキシングボウル３３を断熱材２ｄ、３ｄで覆われた一画に配設しているので、制御基板９１に装着されている部品が動作することで発生する熱で粉末原料キャニスタ２４、原料シュータ２５、コーヒー抽出器３０、粉末原料キャニスタ３１、原料シュータ３２が常に温められている。
【００３０】
以上説明したカップ式自動販売機１において、利用者により貨幣が投入され、飲料選択ボタン９８、例えば、ホットココア飲料の選択ボタン９８が押されると、制御装置９０がホットココア飲料を調理するための信号を出力する。この制御装置９０が出力する信号により、先ず、温水タンク２１の湯弁２２が開かれると、温水タンク２１に貯留されている高温の湯がミキシングボウル２６に供給される。同時に、ココア粉末原料が貯蔵されている粉末原料キャニスタ２４の原料払い出しモータ２４ａが運転されると、ココア粉末原料が粉末原料キャニスタ２４の粉末原料払い出し口（図示せず）から払い出され、原料シュータ２５内を降下してミキシングボウル２６に供給される。
【００３１】
ミキシングボウル２６に供給されたココア粉末原料と高温の湯は、攪拌、混合されることでホットココア飲料が調理され、ミキシングボウル２６で調理されたホットココア飲料は飲料管路２７を流下してノズル４０からカップ載置台３６に載置されたカップＣに注出されてカップ式自動販売機１の利用者に引き渡される。
【００３２】
このようにしてミキシングボウル２６に供給された高温の湯とココア粉末原料が攪拌、混合されて調理されると、ミキシングボウル２６に供給された高温の湯から湯気（蒸気）が立ち昇る。しかしながら、粉末原料キャニスタ２４、原料シュータ２５は、制御基板９１が設けられている制御装置９０とともに断熱材２ｄ、３ｄで覆われた一画に配設されているので、制御基板９１に装着されている部品が動作することで発生する熱容量に相当する分、除湿用ヒータ２４ｂの発熱量を小さくしても断熱材２ｄ、３ｄで覆われた一画は所定温度に維持されている。このように除湿用ヒータ２４ｂの発熱量を小さくしても原料シュータ２５や粉末原料キャニスタ２４の粉末原料払い出し口が配設されている一画が所定温度に維持されているので、原料シュータ２５内や粉末原料キャニスタ２４の粉末原料払い出し口に粉末原料が付着することが防止可能となり、電力消費量を少なくして省エネルギーを図ることができるカップ式自動販売機１を提供することができる。
【００３３】
同様に、除湿用ヒータ３１ｂの発熱量を小さくしても、原料シュータ３２内や粉末原料キャニスタ３１の粉末原料払い出し口に粉末原料が付着することを防止することができ、電力消費量を少なくして省エネルギーを図ることができるカップ式自動販売機１を提供することができる。
【００３４】
また、制御基板９１が設けられている制御装置９０、コーヒー豆キャニスタ２８、ミル２９、コーヒー抽出器３０も断熱材２ｄ、３ｄで覆われた一画に配設しているので、制御基板９１に装着されている部品が動作することで発生する熱でコーヒー抽出器３０や液管路も常に温められているので、コーヒー抽出器３０や液管路に設けるヒータの発熱量を小さくしても、コーヒー抽出器３０で抽出されたコーヒー液の温度低下を防止することができ、電力消費量を少なくして省エネルギーを図ることができるカップ式自動販売機１を提供することができる。
【００３５】
以上のように、回転軸の軸周りに螺旋状に形成したスクリュー羽根を回転させて貯蔵している粉末原料を原料払い出し口から払い出す粉末原料キャニスタ２４、３１と、湯弁２２が開かれると貯留している高温の湯を供給する温水タンク２１と、粉末原料キャニスタ２４、３１から供給された粉末原料と温水タンク２１から供給された高温の湯とを用いて飲料を調理するミキシングボウル２６、３３と、これらに信号を出力して飲料を調理する制御装置９０とを備えているカップ式自動販売機１において、粉末原料キャニスタ２４、３１、および／またはミキシングボウル２６、３３に近接させて制御装置９０を配設したことにより、制御基板９１が設けられている制御装置９０が発生する熱で常に温められているので、粉末原料キャニスタ２４、３１の粉末原料払い出し口に設けた除湿用ヒータ２４ｂ、３１ｂの発熱量を小さくしても、原料シュータ２５、３２内や粉末原料キャニスタ２４、３１の粉末原料払い出し口に粉末原料が付着することを防止することができ、電力消費量を少なくして省エネルギーを図ることができるカップ式自動販売機１を提供することが可能となる。
【００３６】
また、粉末原料キャニスタ２４、３１、および／またはミキシングボウル２６、３３に近接させて配設した制御装置９０を断熱材２ｄ、３ｄで覆われた一画に配設したことにより、筐体２および前扉３からの放熱が少なくなり、筐体２の内部を温かく保つことができるようになるので、除湿用ヒータ２４ｂ、３１ｂの発熱量をさらに小さくしても、原料シュータ２５、３２内や粉末原料キャニスタ２４、３１の粉末原料払い出し口に粉末原料が付着することを防止することができ、さらに、電力消費量を少なくして省エネルギーを図ることができるカップ式自動販売機１を提供することが可能となる。
【００３７】
なお、粉末原料キャニスタ２４、３１、および／またはミキシングボウル２６、３３に近接させて配設した制御装置９０を断熱材２ｄ、３ｄで覆われた一画に配設した実施例で説明しているが、例えば、制御装置９０と、粉末原料キャニスタ２４、３１、原料シュータ２５、３２、および／またはミキシングボウル２６、３３、コーヒー抽出器３０との間に伝熱手段を設け、制御装置９０が発生する熱で、粉末原料キャニスタ２４、３１、原料シュータ２５、３２、および／またはミキシングボウル２６、３３、コーヒー抽出器３０を温めるようにしても、ヒータの発熱量を小さくし、電力消費量を少なくして省エネルギーを図ることができる。
【符号の説明】
【００３８】
１      カップ式自動販売機
２      筐体
２ｄ    断熱材
３      前扉
３ｄ    断熱材
２１      温水タンク
２２      湯弁
２３      湯管路
２４      粉末原料キャニスタ
２４ａ    原料払い出しモータ
２４ｂ    除湿用ヒータ
２５      原料シュータ
２６      ミキシングボウル（飲料調理装置）
２７      飲料管路
２８      コーヒー豆キャニスタ
２９      ミル
３０      コーヒー抽出器（飲料調理装置）
３１      粉末原料キャニスタ
３１ａ    原料払い出しモータ
３１ｂ    除湿用ヒータ
３２      原料シュータ
３３      ミキシングボウル（飲料調理装置）
３４      飲料管路
４０      ノズル
９０      制御装置
９１      制御基板
９６      電源部
９８      飲料選択ボタン
Ｃ      カップ
【図１】
2012038129.tif 000003
【図２】
2012038129.tif 000004
【図３】
2012038129.tif 000005
【図４】
2012038129.tif 000006